(57)【特許請求の範囲】
【請求項１】
セキュリティ用通信装置であって、
取り付け面に固定される取り付け金具と、
通信機能を有する内部装置を内部に収容し、前記取り付け金具に直接的または間接的に取り付けられる本体部と、
前記本体部を前記取り付け金具に間接的に取り付けるときに使用され、自身を介して前記本体部を前記取り付け金具に取り付けるための中間ブラケット部材と、
を備え、
前記取り付け金具は、前記中間ブラケット部材の前記取り付け面に沿った方向への移動を規制するための金具側係合部を有し、
前記中間ブラケット部材は、
前記金具側係合部と係合するブラケット側係合部と、
前記セキュリティ用通信装置の外部から引き込まれて、前記内部装置に接続される配線を収容するためのブラケット側配線収容部と、
を有し、
前記ブラケット側係合部は、
前記取り付け面に沿った方向に延伸し、先端部が支点を中心として弾性的に回転移動する板バネ部と、
前記先端部において前記回転移動の方向に沿って突出し、前記金具側係合部に係止される係止爪部と、
前記先端部において、前記係止爪部とは反対の方向に突出している突出部と、
を備え、
前記ブラケット側係合部は、前記本体部が前記中間ブラケット部材に保持されている状態において、前記係止爪部が前記金具側係合部から前記本体部側に移動したときに、前記突出部が前記本体部に当接することによって、前記係止爪部と前記金具側係合部との係止状態が解除されることが抑制されるように構成されている、セキュリティ用通信装置。
【請求項２】
請求項１記載のセキュリティ用通信装置であって、
前記突出部は、前記板バネ部が延伸している方向において、前記係止爪部よりも、前記回転移動の前記支点側に位置している、セキュリティ用通信装置。
【請求項３】
請求項１または請求項２記載のセキュリティ用通信装置であって、
前記突出部には、前記板バネ部が延伸している方向に沿って突出するとともに、前記板バネ部に連結されているリブ部が形成されている、セキュリティ用通信装置。
【請求項４】
請求項３記載のセキュリティ用通信装置であって、
前記リブ部は、前記突出部から、前記板バネ部の前記支点側に突出する支点側リブ部を含む、セキュリティ用通信装置。
【請求項５】
請求項３または請求項４記載のセキュリティ用通信装置であって、
前記リブ部は、前記突出部から、前記支点とは反対側に突出する反支点側リブ部を含む、セキュリティ用通信装置。
【請求項６】
請求項１から請求項５のいずれか一項に記載のセキュリティ用通信装置であって、
前記板バネ部と前記突出部とが交差している角部である突出部側角部は丸められている、セキュリティ用通信装置。
【請求項７】
請求項１から請求項６のいずれか一項に記載のセキュリティ用通信装置であって、
前記板バネ部と前記係止爪部とが交差し、前記金具側係合部と対向する角部である係止爪部側角部は丸められている、セキュリティ用通信装置。
【請求項８】
請求項１から請求項７のいずれか一項に記載のセキュリティ用通信装置であって、
前記突出部は、前記本体部が前記中間ブラケット部材に保持されている状態において、前記突出部の先端部が、前記本体部から所定の距離だけ離間するように構成されており、
前記係止爪部は、前記本体部が前記中間ブラケット部材に保持されている状態において、前記所定の距離よりも長い長さだけ、前記金具側係合部よりも、前記本体部から前記中間ブラケット部材に向かう方向に突出している、セキュリティ用通信装置。
【発明の詳細な説明】
【技術分野】
【０００１】
本発明は、壁面等に取り付けられるセキュリティ用通信装置に関する。
【背景技術】
【０００２】
従来から、家庭内、オフィス内、工場内等において防犯等の目的で使用されるセキュリティ用通信装置が知られている（例えば、下記特許文献１）。このセキュリティ用通信装置は、建物の壁面などに取り付けられ、有線または無線の電話回線や、ＬＡＮ及びインターネット等の通信回線を介して建物内の異常を警備会社に通報する。このセキュリティ用通信装置に関して、取り付け金具を介して壁面に取り付けられるものが知られている。また、壁面を這わせた電源用や通信用等の配線を内部に引き込んだものが知られている。
【先行技術文献】
【特許文献】
【０００３】
【特許文献１】特開２０１１−１７５５９７号公報
【発明の概要】
【発明が解決しようとする課題】
【０００４】
このセキュリティ用通信装置は、装置の破壊や改変などを防ぐため、建物への侵入者等にその存在を気がつかれないように、できるだけ目立たなくすることが好ましい。そのため、セキュリティ用通信装置は、装置全体の大きさを小型化することが望まれていた。一方、小型化されたセキュリティ用通信装置は、装置の内部が狭いため、電源用配線等の配線を装置の内部に収容することが困難であった。従来から、セキュリティ用通信装置を設置する際に、装置に外部配線を引き込むと、引き込んだ配線の長さが余ることがあった。小型化されたセキュリティ用通信装置は、余った配線を装置の内部に収容することができないため、装置の周囲において配線が余った状態となる場合があった。この場合、セキュリティ用通信装置が小型化されているにも関わらず、装置周辺の余った配線によって、結果的に装置が目立ってしまうという問題があった。また、装置周辺の美観を損ねることになった。
【０００５】
そこで、本願発明の発明者らは、セキュリティ用通信装置の本体部を壁面等に取り付ける際に、余った外部配線を収容可能な中間ブラケット部材を選択的に使用する構成を考案した。具体的には、装置周辺に配線が余る場合には、本体部と壁面部との間に中間ブラケット部材を介在させ、この中間ブラケット部材に外部配線を収容することによって、セキュリティ用通信装置を目立たなくすることを考案した。そして、セキュリティ用通信装置を壁面等に取り付ける際に使用するネジの種類や数が中間ブラケット部材を使用する場合と使用しない場合とで同じにすることができるように、中間ブラケット部材を取り付け金具に固定させる構造を考案した。この構造を採用することによって、取り付けの作業が容易化される。しかし、セキュリティ用通信装置では、そのように装置の取付性が高められる工夫が求められている一方で、予期せぬ外力が与えられたときに取り付け金具から脱落してしまわないように、その固定性がさらに高められる工夫が求められている。本願発明は、セキュリティ用通信装置の取り付け作業性を容易化しつつ、装置の不正な解除や予期せぬ脱落を防ぐための技術を提供することを目的とする。
【課題を解決するための手段】
【０００６】
本発明は、上述の課題の少なくとも一部を解決するためになされたものであり、以下の形態として実現することが可能である。
【０００７】
（１）本発明の一形態によれば、セキュリティ用通信装置が提供される。このセキュリティ用通信装置は、取り付け金具と、本体部と、中間ブラケット部材と、を備えてよい。前記取り付け金具は、取り付け面に固定されてよい。前記本体部は、通信機能を有する内部装置を収容し、前記取り付け金具に直接的または間接的に取り付けられてよい。前記中間ブラケット部材は、前記本体部を前記取り付け金具に間接的に取り付けるときに使用され、自身を介して前記本体部を前記取り付け金具に取り付けられるために用いられてよい。前記取り付け金具は、前記中間ブラケット部材の前記取り付け面に沿った方向への移動を規制するための金具側係合部を有してよい。前記中間ブラケット部材は、前記金具側係合部と係合するブラケット側係合部と、前記セキュリティ用通信装置の外部から引き込まれて、前記内部装置に接続される配線を収容するためのブラケット側配線収容部と、を有してよい。前記ブラケット側係合部は、前記取り付け面に沿った方向に延伸し、先端部が支点を中心として弾性的に回転移動する板バネ部と、前記先端部において前記回転移動の方向に沿って突出し、前記金具側係合部に係止される係止爪部と、前記先端部において、前記係止爪部とは反対の方向に突出している突出部と、を備えてよい。前記ブラケット側係合部は、前記本体部が前記中間ブラケット部材に保持されている状態において、前記係止爪部が前記本体部側に移動したときに、前記突出部が前記本体部に当接することによって、前記係止爪部と前記金具側係合部との係止状態が解除されることが抑制されるように構成されてよい。
【０００８】
上記形態の構成によれば、建物への侵入者等にその存在を気がつかれないように、セキュリティ用通信装置をより目立たなくすることができる。具体的には、この構成によれば、セキュリティ用通信装置に外部配線を引き込んだ際に装置の周囲において配線の長さが余らなかった場合、または、目立たない程度に長さが余る場合には、中間ブラケット部材を使用せずにセキュリティ用通信装置の本体部を直接的に取り付け面に固定できる。そのため、装置全体の大きさを抑制することができる。一方、セキュリティ用通信装置に外部配線を引き込んだ際に装置の周囲において配線の長さが目立つ程度に余る場合には、中間ブラケット部材を使用することによって、中間ブラケット部材の内部の配線収容部に余った配線を収容することができる。これにより、装置周辺の余った配線によって装置が目立つようになることを抑制することができる。
【０００９】
上記形態の構成によれば、選択的に中間ブラケット部材を使用してセキュリティ用通信装置の本体部を取り付け面に固定する構成とすることもできる。このような構成を採用した場合には、取り付け場所の状況に応じてより目立たない構成を選択することができる。また、ブラケット側係合部の係止爪部を金具側係合部に係合させることによって、中間ブラケット部材を取り付け金具に取り付けることができるため、セキュリティ用通信装置を壁面等に取り付ける際に使用するネジの種類や数が中間ブラケット部材を使用する場合と使用しない場合とで変わらないようにすることができる。よって、取り付け作業性の向上を図ることができ、また、使用されなかったネジが余って不要な資材が発生しにくくすることができる。
【００１０】
さらに、上記形態の構成によれば、係止爪部と金具側係合部との係合状態の形成と解除が容易化されるため、中間ブラケット部材の取り付け金具への取付性が高められている。また、上記形態のセキュリティ用無線装置においては、本体部が前記中間ブラケット部材に保持されている状態において、係止爪部が本体部側、つまり、金具側係合部から離れる方向に移動したときに、突出部が本体部に当接し、係止爪部と金具側係合部との係止状態が解除されることが抑制される構成を有している。従って、セキュリティ用無線装置に予期せぬ外力が付与された場合であっても、係止爪部と金具側係合部との係止状態が容易に解除されてしまうことが抑制され、本体部が取り付け面から脱落してしまうことが抑制される。
【００１１】
（２）上記形態のセキュリティ用通信装置において、前記突出部は、前記板バネ部が延伸している方向において、前記係止爪部よりも、前記回転移動の前記支点側に位置してよい。この形態のセキュリティ用通信装置によれば、突出部を操作部として、前記ブラケット側係合部と金具側係合部との係合状態を解除する操作が容易化される。
【００１２】
（３）上記形態のセキュリティ用通信装置において、前記突出部には、前記板バネ部が延伸している方向に沿って突出するとともに、前記板バネ部に連結されているリブ部が形成されていてよい。この形態のセキュリティ用通信装置によれば、リブ部によって、突出部の強度が高められるとともに、突出部が板バネ部から脱落してしまうことが抑制される。
【００１３】
（４）上記形態のセキュリティ用通信装置において、前記リブ部は、前記突出部から、前記支点側に突出する支点側リブ部を含んでよい。この形態のセキュリティ用通信装置によれば、突出部に対して、支点から突出部に向かう方向の力に対する突出部の強度を高めることができる。
【００１４】
（５）上記形態のセキュリティ用通信装置において、前記リブ部は、前記突出部から、前記支点とは反対側に突出する反支点側リブ部を含んでよい。この形態のセキュリティ用通信装置によれば、突出部に対して、突出部から支点に向かう方向の力に対する突出部の強度を高めることができる。
【００１５】
（６）上記形態のセキュリティ用通信装置において、前記板バネ部と前記突出部とが交差している角部である突出部側角部は丸められていてよい。この形態のセキュリティ用通信装置によれば、突出部に外力が付与された場合であっても、突出部と板バネ部との間の角部において応力集中が生じてしまうことが抑制される。
【００１６】
（７）上記形態のセキュリティ用通信装置において、前記板バネ部と前記係止爪部とが交差し、前記金具側係合部と対向する角部である係止爪部側角部は丸められていてよい。この形態のセキュリティ用通信装置によれば、係止爪部と板バネ部との間の角部において応力集中が生じてしまうことが抑制される。
【００１７】
（８）上記形態のセキュリティ用通信装置において、前記突出部は、前記本体部が前記中間ブラケット部材に保持されている状態において、前記突出部の先端部が、前記本体部から所定の距離だけ離間するように構成されており、前記係止爪部は、前記本体部が前記中間ブラケット部材に保持されている状態において、前記所定の距離よりも長い長さだけ、前記金具側係合部よりも、前記本体部から前記中間ブラケット部材に向かう方向に突出していてよい。この形態のセキュリティ用通信装置によれば、予期せぬ外力が付与されたときに、ブラケット側係合部と金具側係合部との間の係合状態が解除されてしまうことが、さらに抑制される。
【００１８】
なお、本発明は、種々の態様で実現することが可能であり、例えば、セキュリティ用通信装置の本体部を取り付け金具に間接的に取り付けるときに使用され、自身を介して本体部を取り付け金具に取り付けるための中間ブラケット部材、セキュリティ用通信装置、セキュリティ用通信装置の取り付け構造、取り付け方法、セキュリティ用通信装置の製造方法、セキュリティ用通信装置を備えるセキュリティシステムなどの形態で実現することができる。
【図面の簡単な説明】
【００１９】
【図１】セキュリティ用通信装置を例示した概略図。
【図２】セキュリティ用通信装置を例示した概略斜視図。
【図３】セキュリティ用通信装置の取り付け方法を例示した概略斜視図。
【図４】第２の取り付け方法で取り付けられたときのセキュリティ用通信装置を示す概略図。
【図５】第２の取り付け方法で取り付けられたときのセキュリティ用通信装置を示す概略斜視図。
【図６】セキュリティ用通信装置の第２の取り付け方法を例示する概略斜視図。
【図７】ブラケット部材を含まないセキュリティ用通信装置の第１の概略分解斜視図。
【図８】ブラケット部材を含まないセキュリティ用通信装置の第２の概略分解斜視図。
【図９】ブラケット部材を含まないセキュリティ用通信装置の第３の概略分解斜視図。
【図１０】中間ブラケット部材を含むセキュリティ用通信装置の第１の概略分解斜視図。
【図１１】中間ブラケット部材を含むセキュリティ用通信装置の第２の概略分解斜視図。
【図１２】中間ブラケット部材を含むセキュリティ用通信装置の第３の概略分解斜視図。
【図１３】取り付け金具を例示した概略図。
【図１４】取り付け金具を例示した概略斜視図。
【図１５】本体側ケースを例示した概略図。
【図１６】本体側ケースを例示した概略斜視図。
【図１７】中間ブラケット部材を例示した概略図。
【図１８】中間ブラケット部材を例示した概略斜視図。
【図１９】中間ブラケット部材を例示した概略断面図。
【図２０】中間ブラケット部材を取り付け金具に取り付ける手順を示した説明図。
【図２１】中間ブラケット部材を取り付け金具から取り外す手順を示した説明図。
【図２２】参考例の効果の一例を示した説明図。
【図２３】実施形態の中間ブラケット部材の構成を示す概略図。
【図２４】実施形態のブラケット側係合部を示す概略斜視図。
【図２５】実施形態のブラケット側係合部の概略断面図。
【図２６】実施形態の中間ブラケット部材に対する取り付け金具および本体部の取り付け方法を示す概略図。
【図２７】ブラケット側係合部と金具側係合部との係合状態を示す概略断面図。
【図２８】金具側係合部の先端部を示す概略斜視図。
【図２９】中間ブラケット部材に本体側ケースが取り付けられるときの状態の一例を示す概略図。
【発明を実施するための形態】
【００２０】
以下では、図１〜図２３を参照して、本発明の理解を容易にするための参考例の構成を説明した上で、図２４〜図２９を参照して、参考例が改良された本発明の実施形態を、説明する。なお、参考例において説明されている構成は、本発明の実施形態において説明されている構成と齟齬が生じない範囲において、本発明の実施形態に組み込まれる。従って、参考例において説明されている構成の説明は、本発明の実施形態において説明が省略されている場合であっても、本発明の実施形態における対応する構成に対しても同様に当てはまる。
【００２１】
Ａ．参考例：
図１は、本発明の参考例におけるセキュリティ用通信装置１０を例示した図である。図１（ａ）〜（ｅ）は、それぞれ、セキュリティ用通信装置１０の概略正面図、概略上面図、概略底面図、概略右側面図、および、概略左側側面図である。図２は、セキュリティ用通信装置の斜視図である。以後、図１（ａ）に示されたセキュリティ用通信装置１０の紙面上方側を「セキュリティ用通信装置１０の上方側」、紙面下方側を「セキュリティ用通信装置１０の下方側」、紙面右側を「セキュリティ用通信装置１０の右側」、紙面左側を「セキュリティ用通信装置１０の左側」とも呼ぶ。
【００２２】
セキュリティ用通信装置１０は、略直方体形状の外観を備えており、例えば、家庭内、オフィス内、工場内等の壁面や天井面など取り付け面２０に取り付けられる。本参考例における取り付け面２０は、ほぼ鉛直の壁面であるが、取り付け面２０は、傾斜面や水平面であってもよく、また曲面であってもよい。セキュリティ用通信装置１０は、例えば、家庭の壁面や柱面等に取り付けられ、有線または無線の電話回線や、ＬＡＮ及びインターネットを介して建物内の異常を警備会社に通報するように構成されていてもよい。本参考例におけるセキュリティ用通信装置１０は、右側の側面部に無線通信用のアンテナ１２１が取り付けられている。アンテナ１２１は、棒状の外形を有しており、基端部がセキュリティ用通信装置１０の本体部に回動可能に固定されている。
【００２３】
図３は、セキュリティ用通信装置１０の取り付け方法を例示した斜視図である。図３に示すように、セキュリティ用通信装置１０は、本体部１００と、取り付け金具２００とを含んでいる。取り付け金具２００は、ネジや釘等の固定部材によって取り付け面２０に直接固定されている。以後、図３に示された取り付け金具２００の紙面上方側を「取り付け金具２００の上方側」、紙面下方側を「取り付け金具２００の下方側」とも呼ぶ。
【００２４】
セキュリティ用通信装置１０は、上述のように、本体部１００を直接的に取り付け金具２００に取り付けることができるほか、後述する中間ブラケット部材３００を介して本体部１００を間接的に取り付け金具２００に取り付けることができる。以後、本体部１００を直接的に取り付け金具２００に取り付ける方法を「第１の取り付け方法」とも呼ぶ。また、後述する中間ブラケット部材３００を介して本体部１００を間接的に取り付け金具２００に取り付ける方法を「第２の取り付け方法」とも呼ぶ。
【００２５】
図４は、第２の取り付け方法で取り付けられたセキュリティ用通信装置１０を例示した図である。図４（ａ）〜（ｅ）は、それぞれ、図１（ａ）〜（ｅ）と同様の方向から見た状態を例示している。図５は、図２と同様の方向から見た斜視図である。第２の取り付け方法で取り付けられるセキュリティ用通信装置１０は、本体部１００および取り付け金具２００のほか、中間ブラケット部材３００を含んでおり、全体として略直方体形状を備えている。中間ブラケット部材３００は、セキュリティ用通信装置１０を取り付け面２０に取り付けるときに、本体部１００と取り付け面２０との間に配置され、セキュリティ用通信装置１０を自身の厚み分だけ取り付け面２０から離した状態で本体部１００を支持する。図４（ａ）に示すように、中間ブラケット部材３００は、セキュリティ用通信装置１０を正面視したとき、つまり、セキュリティ用通信装置１０から取り付け面２０に向かう方向にみたときの外周部の形状が本体部１００の外周部の形状と概ね一致するように構成されている。これにより、中間ブラケット部材３００を使用してセキュリティ用通信装置１０を取り付け面２０に取り付けた場合であっても、セキュリティ用通信装置１０の外観を目立たなくすることができる。中間ブラケット部材３００は、例えば、樹脂等の射出成形によって製造することができる。
【００２６】
図６は、第２の取り付け方法によってセキュリティ用通信装置１０を取り付け面２０に取り付ける方法を例示した説明図である。中間ブラケット部材３００は、取り付け面２０に固定された取り付け金具２００に直接固定される。中間ブラケット部材３００を取り付け金具２００に固定する具体的な方法については後述する。以後、図６に示された中間ブラケット部材３００の紙面上方側を「中間ブラケット部材３００の上方側」、紙面下方側を「中間ブラケット部材３００の下方側」とも呼ぶ。
【００２７】
このように、セキュリティ用通信装置１０は、第２の取り付け方法によっても、本体部１００を中間ブラケット部材３００に取り付け可能に構成されているため、本体部１００の周辺の物理的な状況や、通信電波状況に応じて本体部１００の体勢を変更することができる。すなわち、セキュリティ用通信装置１０を取り付ける際に、図３および図６に示した２つの取り付け方法のいずれかのうちで、本体部１００の周辺の物理的な状況、通信状態を考慮して最適なものを選択することができる。
【００２８】
図７〜図９は、中間ブラケット部材３００を用いない第１の取り付け方法で取り付けられるときのセキュリティ用通信装置１０の分解斜視図である。図７〜図９にはそれぞれ、後述する内部装置１２０に接続される配線Ｗの第１の配線経路、第２の配線経路、および、第３の配線経路が示されている。
【００２９】
本体部１００は、外側ケース１１０と、内部装置１２０と、本体側ケース４００と、を含んでいる。外側ケース１１０は、一方向に開口している略箱状の外形を有しており、略矩形形状の外側ケース主面部１１１と、外側ケース主面部１１１の外周に形成され、外側ケース１１０の側面部を構成する枠状の外側ケース外周面部１１２と、を備えている。本体側ケース４００は、略矩形形状の本体側主面部４０１と、本体側主面部４０１の外周に形成され、本体側ケース４００の側面部を構成する枠状の本体側外周面部４１０と、を備えている。本体側ケース４００は、本体側外周面部４１０に囲まれた領域内に、内部装置１２０を収容するための内部装置収容部ＭＳと、外部から引き込まれて、内部装置１２０に接続される配線Ｗを収容するための本体側配線収容部ＳＳが形成されている。本体側ケース４００の本体側主面部４０１には、必要に応じて、配線Ｗを内部装置収容部ＭＳから本体側ケース４００の裏側に挿通させるための本体側配線用開口部４４０が形成されている（図９）。
【００３０】
外側ケース１１０の外側ケース外周面部１１２によって形成される開口端と、本体側ケース４００の本体側外周面部４１０によって形成される開口端は、ほぼ同じ形状をしている。外側ケース外周面部１１２の開口端と本体側外周面部４１０の開口端とを重ね合わせることによって、内側に内部装置１２０を収容した状態で、外側ケース１１０を本体側ケース４００に固定することができる。中間ブラケット部材３００を用いない第１の取り付け方法の場合、本体側ケース４００は取り付け金具２００に直接固定される。なお、外側ケース１１０と本体側ケース４００は、例えば、樹脂等の射出成形によって製造することができる。
【００３１】
内部装置１２０は、無線通信機能を有しており、基板部１２２と、電源部１２３と、アンテナ１２１と、を備えている。基板部１２２と電源部１２３は、本体側ケース４００の内部装置収容部ＭＳに収容されている。内部装置１２０には、セキュリティ用通信装置１０の外部からセキュリティ用通信装置１０の内部に引き込まれた配線Ｗが接続されている。この配線Ｗは、例えば、電源供給用の電源用配線と、建物内の他の装置（例えば、監視カメラ）との通信用の配線の少なくとも一方の機能を有する配線であり、これらの両方の機能を有していてもよい。
【００３２】
セキュリティ用通信装置１０は、取り付け面２０を這わせた配線Ｗ（図７および図８）、および、取り付け面２０の裏側から取り付け面２０に設けられた開口部２１を介して取り出される配線Ｗ（図９）のいずれも引き込み可能に構成されている。第１の取り付け方法で取り付けられたセキュリティ用通信装置１０では、内部に引き込まれた配線Ｗが図７〜図９に示す配線経路のうちの少なくとも１つの配線経路によって内部装置１２０に接続される。
【００３３】
例えば、図７に示すように、取り付け面２０を這わせた配線Ｗをセキュリティ用通信装置１０に引き込む場合、本体側ケース４００の本体側外周面部４１０のうち、内側の本体側配線収容部ＳＳに接続される部分を切り欠いた切り欠き部ＣＰを介してセキュリティ用通信装置１０の内部に引き込むことができる。図７では、本体側外周面部４１０の上方側の面のうち、左側の端部付近に切り欠き部ＣＰが形成されている。引き込まれた配線Ｗは、先端部が内部装置１２０の所定の位置に接続される。また、先端部と切り欠き部ＣＰとの間の配線Ｗは、本体側配線収容部ＳＳに収容される。なお、切り欠き部ＣＰを形成する位置については、本体側外周面部４１０のうち、内側が本体側配線収容部ＳＳと接する部分であれば図７で示した位置に限定されない。例えば、図８に示すように、本体側外周面部４１０の下方側の面のうち、左側の端部付近に切り欠き部ＣＰを形成して配線Ｗを引き込んでもよい。この場合であっても、引き込まれた配線Ｗの先端部を内部装置１２０の所定の位置に接続することができる。また、内部装置１２０に接続された先端部と切り欠き部ＣＰとの間の配線Ｗを本体側配線収容部ＳＳに収容することができる。
【００３４】
一方、例えば、図９に示すように、取り付け面２０の裏側から取り付け面２０に設けられた開口部２１を介して取り出される配線Ｗをセキュリティ用通信装置１０に引き込む場合、まず、取り付け面２０に設けられた開口部２１と取り付け金具２００に設けられた金具側開口部２４０とが連通するように取り付け金具２００を取り付ける。そして、取り付け金具２００の金具側開口部２４０を介して、取り付け面２０の裏側から配線Ｗが取り出される。金具側開口部２４０から取り出された配線Ｗは本体側ケース４００の本体側配線用開口部４４０を通って内部装置１２０の所定の位置に接続される。
【００３５】
図１０〜図１２は、中間ブラケット部材３００を用いる第２の取り付け方法で取り付けられるときのセキュリティ用通信装置１０の分解斜視図である。図１０〜図１２には、それぞれ、内部装置１２０に接続される配線Ｗの第４の配線経路、第５の配線経路、および、第６の配線経路が例示されている。第２の取り付け方法の場合、本体側ケース４００は中間ブラケット部材３００を介して、取り付け金具２００に固定される。
【００３６】
中間ブラケット部材３００は、略矩形形状のブラケット側主面部３０１と、ブラケット側主面部３０１の外周に形成された枠状のブラケット側外周面部３１０と、を備えている。中間ブラケット部材３００は、ブラケット側外周面部３１０に囲まれた領域に、内部装置１２０に接続されている配線Ｗを収容するためのブラケット側配線収容部ＷＳが形成されている。ブラケット側主面部３０１には、必要に応じて、内部装置１２０から延びる配線Ｗを中間ブラケット部材３００の裏側に挿通させるためのブラケット側配線用開口部３４０が形成されている（図１２）。ブラケット側外周面部３１０によって形成される開口端は、本体側主面部４０１の外周部と、ほぼ同じ形状をしている。中間ブラケット部材３００は、ブラケット側外周面部３１０の開口端を本体側ケース４００の本体側主面部４０１に接触させた状態で本体部１００を支持する。第２の取り付け方法で取り付けられたセキュリティ用通信装置１０は、内部に引き込まれた配線Ｗを図１０〜図１２に示す配線経路のうちの少なくとも１つの配線経路によって内部装置１２０に接続させることができる。
【００３７】
例えば、図１０に示すように、取り付け面２０を這わせた配線Ｗをセキュリティ用通信装置１０に引き込む場合、ブラケット側外周面部３１０の任意の部分に形成された切り欠き部ＣＰを介して、セキュリティ用通信装置１０の内部に引き込ませることができる。図１０では、切り欠き部ＣＰを形成する位置の一例として、ブラケット側外周面部３１０の上方側の面のうち、右側の端部付近に切り欠き部ＣＰが形成されている。引き込まれた配線Ｗは、先端部が内部装置１２０の所定の位置に接続される。また、先端部と切り欠き部ＣＰとの間の配線Ｗは、ブラケット側配線収容部ＷＳに収容される。切り欠き部ＣＰから引き込まれた配線Ｗは、ブラケット側配線収容部ＷＳの内部において、配線方向を変化させ、本体側配線用開口部４４０を介して内部装置１２０の所定の位置に接続される。なお、切り欠き部ＣＰを形成する位置については、図１０で示した位置に限定されない。例えば、図１１に示すように、ブラケット側外周面部３１０の下方側の面のうち、右側の端部付近に切り欠き部ＣＰを形成して配線Ｗを引き込んでもよい。また、他の例として、ブラケット側外周面部３１０の左右の側面に切り欠き部ＣＰが形成されてもよい。これらの場合であっても、切り欠き部ＣＰから引き込まれた配線をブラケット側配線収容部ＷＳの内部において、配線方向を変化させ、本体側配線用開口部４４０を介して内部装置１２０の所定の位置に接続させることができる。このとき、ブラケット側配線収容部ＷＳの内部において、長さの余った配線Ｗを収容することができる。そのため、セキュリティ用通信装置１０の外部において長さの余った配線Ｗが目立つことを抑制することができる。
【００３８】
一方、例えば、図１２に示すように、取り付け面２０の裏側から取り付け面２０に設けられた開口部２１を介して取り出される配線Ｗをセキュリティ用通信装置１０に引き込む場合、まず、取り付け面２０に設けられた開口部２１と取り付け金具２００に設けられた金具側開口部２４０とが連通するように取り付け金具２００を取り付ける。そして、取り付け金具２００の金具側開口部２４０を介して、取り付け面２０の裏側から配線Ｗを取り出す。金具側開口部２４０から取り出された配線Ｗをブラケット側配線用開口部３４０および本体側配線用開口部４４０を挿通させて内部装置１２０の所定の位置に接続させることができる。このとき、ブラケット側配線収容部ＷＳの内部に、長さの余った配線Ｗを収容することができる。以上のように、セキュリティ用通信装置１０は、図７〜１２に例示された配線経路のうちで、セキュリティ用通信装置１０の周辺の配線の状況や、装置自体の大きさなどを考慮して最も目立たない構成を選択することができる。
【００３９】
図１３は、取り付け金具２００を例示した図である。図１３（ａ）〜（ｅ）は、それぞれ、取り付け金具２００の概略正面図、概略上面図、概略底面図、概略右側側面図、および、概略左側側面図である。図１４は、取り付け金具２００の斜視図である。取り付け金具２００は、金属板をプレス抜き加工することによって形成される。取り付け金具２００は、金具側主面部２０１と、金具側固定部２１０と、一対の金具側フック部２２０、２３０（第１の金具側フック部２２０と第２の金具側フック部２３０）と、金具側係合部２５０と、を備えている。金具側主面部２０１は、４つの端辺部を有する略矩形形状の外形を備え、孔部２０２、２０３に取り付けたネジや釘等の固定部材によって取り付け面２０（図７）に固定される。金具側主面部２０１の略中央部には、上述した金具側開口部２４０が形成されている。ここで、端辺部とは、端辺と端辺周辺の領域を含む。
【００４０】
金具側固定部２１０は、本体部１００を取り付け金具２００に固定するための部位であって、金具側主面部２０１の上方側の端辺部に形成されている。金具側固定部２１０には、金具側雌ネジ部２１１が形成されており、ネジを用いて、本体部１００（図７）を直接、または、中間ブラケット部材３００を介して取り付け金具２００に固定可能に構成されている。具体的には、本体部１００に設けられた後述する本体側挿通孔４５０（図１５）に挿通されたネジを直接、または、中間ブラケット部材３００を介して金具側雌ネジ部２１１に螺合させることによって、本体部１００を取り付け金具２００に固定する。
【００４１】
金具側係合部２５０は、中間ブラケット部材３００を取り付け金具２００に固定するための部位であって、金具側主面部２０１の下方側の端辺部に形成されている。ここで、「中間ブラケット部材３００を固定する」とは、中間ブラケット部材３００の移動が、少なくとも一方向において規制される状態にすることを意味する。金具側係合部２５０は、上方側の基端部が金具側主面部２０１に接続され、下方側の先端部が下方に向かって延伸した舌片状の外形を備えており、後述するブラケット側係合部３６０（図１７）と係合する。金具側係合部２５０は、先端部と基端部との間で折り曲げられて、先端部が基端部よりも本体部１００側に位置するように構成されている。
【００４２】
一対の金具側フック部２２０、２３０は、本体部１００または中間ブラケット部材３００を固定するための部位であって、金具側主面部２０１の左右の両端辺部に形成されている。一対の金具側フック部２２０、２３０は、それぞれ、本体部１００または中間ブラケット部材３００と係合することによって、本体部１００または中間ブラケット部材３００を取り付け金具２００に固定する。なお、本参考例における一対の金具側フック部２２０、２３０は、それぞれ先端が上方側を向いたフック（引っ掛け機構）として構成されている。本参考例では、金具側フック部２２０、２３０に引っ掛けられて前後左右下方向の移動が規制された本体部１００は、金具側雌ネジ部２１１を用いてネジ止めされることによって上方向の移動が規制され、取り付け金具２００に固定される。一方、金具側フック部２２０、２３０に引っ掛けられた中間ブラケット部材３００は、ブラケット側係合部３６０（図１７）が金具側係合部２５０と係合することによって上方向の移動が規制されて、取り付け金具２００に固定される。本明細書において「係合」とは、対象物同士が少なくとも一部位において係り合っている状態を意味する。
【００４３】
取り付け金具２００は、金具側固定部２１０と、一対の金具側フック部２２０、２３０のそれぞれとが互いに異なる金具側主面部２０１の端辺部に形成されている。これにより、取り付け金具２００と、本体部１００とを互いに直線状に並ばない３箇所で固定することができるとともに、この３箇所の互いの距離を大きくすることができ、取り付け金具２００と、本体部１００との間の固定をより安定化させることができる。また、取り付け金具２００は、金具側係合部２５０と、一対の金具側フック部２２０、２３０のそれぞれとが互いに異なる金具側主面部２０１の端辺部に形成されている。これにより、取り付け金具２００と、中間ブラケット部材３００とを互いに直線状に並ばない３箇所で固定することができ、同様の効果が得られる。
【００４４】
図１５は、本体側ケース４００を例示した図である。図１５（ａ）〜（ｅ）は、それぞれ、本体側ケース４００の概略正面図、概略上面図、概略底面図、概略右側側面図、および、概略左側側面図である。図１６は、本体側ケース４００の斜視図である。本体側ケース４００は、本体側主面部４０１と、本体側外周面部４１０のほか、一対の本体側フック係合部４２０、４３０（第１の本体側フック係合部４２０と第２の本体側フック係合部４３０）と、本体側挿通孔４５０と、本体側フック用開口部４６０とを備えている。本体側主面部４０１の略中央部には、上述した本体側配線用開口部４４０が形成されている。
【００４５】
一対の本体側フック係合部４２０、４３０は、取り付け金具２００の一対の金具側フック部２２０、２３０とそれぞれ係合するための部位であって、本体側主面部４０１の左右の両端辺部の略中央に形成されている。本参考例では、一対の本体側フック係合部４２０、４３０は、それぞれ上下方向に延伸したスリット状の開口部として構成されている。本体側ケース４００を取り付け金具２００に取り付けるとき、第１の本体側フック係合部４２０が第１の金具側フック部２２０と係合し、第２の本体側フック係合部４３０が第２の金具側フック部２３０と係合する。本体側ケース４００は、一対の本体側フック係合部４２０、４３０に一対の金具側フック部２２０、２３０を挿通させた後、本体側ケース４００を下方向にスライドさせることで取り付け金具２００に仮固定される。
【００４６】
本体側挿通孔４５０は、本体側ケース４００を取り付け金具２００に固定する際にネジが挿通される部位であって、本体側ケース４００を取り付け金具２００に取り付けたときに金具側雌ネジ部２１１に対向する位置に形成されている。また、中間ブラケット部材３００を介して本体側ケース４００を取り付け金具２００に取り付けたときには、ブラケット側挿通孔３５０（図１７）とも対向する。本参考例では、本体側挿通孔４５０は、本体側主面部４０１の上方側の端辺部に形成されている。本体側ケース４００を取り付け金具２００に取り付ける場合には、まず、一対の本体側フック係合部４２０、４３０に一対の金具側フック部２２０、２３０を挿通させた後、本体側ケース４００を下方向にスライドさせることで本体側ケース４００を仮固定し、その後、本体側挿通孔４５０に挿通させたネジを金具側雌ネジ部２１１に螺合させることによって、本体側ケース４００を固定することができる。
【００４７】
本体側挿通孔４５０および一対の本体側フック係合部４２０、４３０のそれぞれは、互いに異なる本体側主面部４０１の端辺部に形成されている。これにより、本体側ケース４００を取り付け金具２００に取り付けたとき、本体側ケース４００を互いに直線状に並ばない３箇所で固定することができるとともに、この３箇所の互いの距離を大きくすることができ、取り付け金具２００との間の固定をより安定化させることができる。
【００４８】
本体側フック用開口部４６０は、本体側ケース４００を中間ブラケット部材３００に取り付けたときに、後述するブラケット側フック部３７０（図１７）と係合する。本体側ケース４００を中間ブラケット部材３００に取り付ける場合には、本体側フック用開口部４６０とブラケット側フック部３７０（図１７）とを係合させるとともに、本体側挿通孔４５０とブラケット側挿通孔３５０（図１７）とを挿通させたネジを金具側雌ネジ部２１１に螺合させることによって、本体側ケース４００を固定することができる。
【００４９】
本体側フック用開口部４６０は、本体側主面部４０１の中心点を通り互いに直交する２つの直線によって本体側主面部４０１の領域を４分割したときに、本体側挿通孔４５０が含まれる領域の斜めに位置する領域に形成されることが好ましい。本体側フック用開口部４６０は、本体側主面部４０１の中心点を対象点として本体側挿通孔４５０と略点対称となる位置に形成されることがさらに好ましい。これにより、本体側ケース４００と中間ブラケット部材３００との間の固定を安定化させることができる。具体的には、この構成によれば、本体側フック用開口部４６０とブラケット側フック部３７０（図１７）との係合位置と、本体側挿通孔４５０とブラケット側挿通孔３５０（図１７）との固定位置と、の間に概ね本体側主面部４０１の中心点が通る。すなわち、本体部１００を中間ブラケット部材３００に取り付ける取り付け方向から見たときに、本体部１００の重心点が、この係合位置と固定位置との間に概ね位置するように構成される。よって、これらによる中間ブラケット部材３００と本体部１００との間の固定をより安定化させることができる。
【００５０】
本体側外周面部４１０は、本体側主面部４０１の上方側端部に形成される上方側本体外周平面部４１１と、下方側端部に形成される下方側本体外周平面部４１２と、右側端部に形成される右側本体外周平面部４１３と、左側端部に形成される左側本体外周平面部４１４と、を含む。この４つの本体外周平面部４１１〜４１４と本体側主面部４０１によって本体側配線収容部ＳＳおよび内部装置収容部ＭＳが形成されている。右側本体外周平面部４１３には、アンテナ取り出し部４１６が形成されている。これにより、内部装置１２０を内部装置収容部ＭＳに設置したときにアンテナ１２１を本体部１００の外側に配置することができる。上方側本体外周平面部４１１と下方側本体外周平面部４１２のそれぞれの内側に近接した位置には、本体側ケース係合部４８１、４８２が形成されている。本体側ケース係合部４８１、４８２は、外側ケース１１０を本体側ケース４００に取り付けたときに、外側ケース１１０の外側ケース外周面部１１２と係合する。本体側ケース係合部４８２は、２つの爪部から形成されており、この２つの爪部を同時に押圧しないと外側ケース１１０を取り外せない構成となっている。
【００５１】
本体側配線収容部ＳＳと内部装置収容部ＭＳは、上下に延びる壁部によって構成されている区画部４０２によって区画されている。そのため、本体側配線収容部ＳＳは、４つの本体外周平面部４１１〜４１４のうち、左側本体外周平面部４１４と、上方側本体外周平面部４１１および下方側本体外周平面部４１２の左側端部のみと接している。本体側配線収容部ＳＳは、左側本体外周平面部４１４と内部装置収容部ＭＳとの間に形成され、本体側主面部４０１の端辺部に沿って上下方向に延伸した形状を有している。これにより、本体部１００は、本体側配線収容部ＳＳを本体部１００の片側のみに設けて本体部１００の大型化を抑制しつつ、本体側外周面部４１０のうち、内側が本体側配線収容部ＳＳと接している部分から配線Ｗを本体部１００の内部に引き込むことができる。また、本体側外周面部４１０のうち、内側が本体側配線収容部ＳＳと接触する部分には、切り欠き部ＣＰの形成を容易にするために、複数の目地状の溝４１５が形成されていてもよい。溝４１５は、本体側外周面部４１０の厚みが薄くなるように、本体側ケース４００の開口端側から本体側主面部４０１に向かう方向に沿って形成されている。本参考例では、上方側本体外周平面部４１１および下方側本体外周平面部４１２の左側端部のみに形成されているが、左側本体外周平面部４１４に形成されていてもよい。
【００５２】
図１７は、中間ブラケット部材３００を例示した図である。図１７（ａ）〜（ｅ）は、それぞれ、中間ブラケット部材３００の概略正面図、概略上面図、概略底面図、概略右側側面図、および、概略左側側面図である。図１８は、中間ブラケット部材３００の斜視図である。図１９は、図１７に示すＡ−Ａ切断における概略断面図である。
【００５３】
中間ブラケット部材３００は、ブラケット側主面部３０１と、ブラケット側外周面部３１０のほか、一対のブラケット側フック係合部３２０、３３０（第１のブラケット側フック係合部３２０と第２のブラケット側フック係合部３３０）と、ブラケット側挿通孔３５０と、ブラケット側係合部３６０、ブラケット側フック部３７０と、を備えている。ブラケット側主面部３０１の略中央部には、上述したブラケット側配線用開口部３４０が形成されている。
【００５４】
一対のブラケット側フック係合部３２０、３３０は、取り付け金具２００の一対の金具側フック部２２０、２３０とそれぞれ係合するための部位であって、ブラケット側主面部３０１の左右の両端辺部の略中央に形成されている。本参考例における一対のブラケット側フック係合部３２０、３３０は、それぞれ上下方向に延伸した開口部として構成されている。中間ブラケット部材３００を取り付け金具２００に取り付けるとき、第１のブラケット側フック係合部３２０が第１の金具側フック部２２０と係合し、第２のブラケット側フック係合部３３０が第２の金具側フック部２３０と係合する。中間ブラケット部材３００は、一対のブラケット側フック係合部３２０、３３０に一対の金具側フック部２２０、２３０を挿通させた後、中間ブラケット部材３００を下方向にスライドさせることで取り付け金具２００に仮固定される。
【００５５】
ブラケット側挿通孔３５０は、中間ブラケット部材３００を介して本体側ケース４００を取り付け金具２００に固定するときにネジが挿通される部位であって、中間ブラケット部材３００を取り付け金具２００に取り付けたときに金具側雌ネジ部２１１に対向する位置に形成されている。本体側ケース４００の本体側挿通孔４５０（図１５）に挿通されたネジを、ブラケット側挿通孔３５０を介して金具側固定部２１０の金具側雌ネジ部２１１に螺合させることによって、本体側ケース４００および中間ブラケット部材３００が取り付け金具２００に固定される。
【００５６】
ブラケット側フック部３７０は、本体側ケース４００を中間ブラケット部材３００に固定する部位であって、本体側ケース４００の本体側フック用開口部４６０と係合する。本参考例では、ブラケット側フック部３７０は、先端に引っ掛け部が形成された突起部として構成されている。この構成によれば、ブラケット側フック部３７０の先端部を本体側フック用開口部４６０に挿通させることによって、本体側ケース４００を中間ブラケット部材３００に容易に固定することができる。
【００５７】
ブラケット側係合部３６０は、中間ブラケット部材３００を取り付け金具２００に取り付ける際に金具側係合部２５０（図１３）と係合するための部位であって、ブラケット側主面部３０１の下方側の端辺部に形成されている。中間ブラケット部材３００を取り付け金具２００に取り付ける場合には、まず、一対のブラケット側フック係合部３２０、３３０に一対の金具側フック部２２０、２３０を挿通させた後、中間ブラケット部材３００を下方向にスライドさせることで中間ブラケット部材３００を仮固定し、その後、ブラケット側係合部３６０を金具側係合部２５０にスナップフィットさせることによって、中間ブラケット部材３００を固定することができる。ブラケット側係合部３６０と金具側係合部２５０との具体的な係合態様については後述する。
【００５８】
ブラケット側係合部３６０および一対のブラケット側フック係合部３２０、３３０のそれぞれは、互いに異なるブラケット側主面部３０１の端辺部に形成されている。これにより、中間ブラケット部材３００を取り付け金具２００に取り付けたとき、中間ブラケット部材３００を互いに直線状に並ばない３箇所で固定することができるとともに、この３箇所の互いの距離を大きくすることができ、取り付け金具２００との間の固定をより安定化させることができる。
【００５９】
ブラケット側係合部３６０は、板バネ部３６１と、レバー部３６３と、を備えている。板バネ部３６１は、ブラケット側主面部３０１と一体的に形成され、基端部がブラケット側主面部３０１に接続された板状の弾性揺動片であり、上下方向に沿って延伸している。板バネ部３６１の先端部には、スナップフィット爪としての係止爪部３６２（図１９）が形成されている。本参考例の板バネ部３６１は、ブラケット側主面部３０１をコの字状に切り目を入れて形成されたキャンチレバー形状を有しており、基端部が上方側に位置し、先端部が下方側に位置している。言い換えれば、基端部が先端部に対して、後述する第１の方向Ｄ１側に位置するように配置される。板バネ部３６１は、基端部を支点として先端部が弾性的に揺動するように構成されている。つまり、板バネ部３６１は、弾性変形によって反り、先端部が、支点である基端部を中心として、弾性的に回転移動するように構成されている。板バネ部３６１は、係止爪部３６２が金具側係合部２５０（図１３）の先端部における端面２５１に上下方向に当接して係止されることによって、中間ブラケット部材３００の上方向への移動を規制する。本明細書において、「係止」とは、対象物同士が当接し合うことによって、少なくとも一つの移動方向への移動が規制される状態を意味する。金具側係合部２５０とブラケット側係合部３６０との間の具体的な係合態様については後述する。
【００６０】
本参考例では、レバー部３６３は、平板状の部位であり、板バネ部３６１に略直交する向きで板バネ部３６１の先端部に取り付けられている。具体的には、レバー部３６３は、板バネ部３６１の先端部のうち、係止爪部３６２が形成されている側の反対側において、本体部１００側に突出するように形成されている。係止爪部３６２が金具側係合部２５０に係止されてているときに、図１７〜１９の白抜き矢印Ｄ１によって示されている方向（図１７〜図１９の上方向）にレバー部３６３が押圧されると、板バネ部３６１が金具側係合部２５０（図１３）とは反対の方向に反って、係止爪部３６２と金具側係合部２５０との係合が解除される。以後、図１７〜１９の白抜き矢印Ｄ１の方向を「第１の方向Ｄ１」または「解除方向」とも呼ぶ。本参考例では、レバー部３６３の第１の方向Ｄ１側（図１７〜１９の上方側）には、ブラケット側配線収容部ＷＳが設けられている。レバー部３６３は、ブラケット側配線収容部ＷＳと対向し、ブラケット側配線収容部ＷＳに収容された配線Ｗと面するように構成されている。これらの構成による効果については後述する。
【００６１】
レバー部３６３は、第１の方向Ｄ１の反対方向側（図１７〜図１９の下方側）が下方側ブラケット外周平面部３１２と対向している。そして、下方側ブラケット外周平面部３１２とレバー部３６３との間の距離Ｗ１が、配線Ｗの幅よりも小さくなるように構成されている。ここでは、距離Ｗ１は、下方側ブラケット外周平面部３１２とレバー部３６３との間の最短距離であり、１ｍｍ〜１５ｍｍ程度である。この構成によれば、下方側ブラケット外周平面部３１２とレバー部３６３との間に配線Ｗが入り込むことを抑制できる。これにより、ブラケット側配線収容部ＷＳに収容されている配線Ｗの一部が上述の間に入り込んでレバー部３６３を第１の方向Ｄ１に押圧し、係止爪部３６２と金具側係合部２５０（図１３）との係合が解除されてしまうことが抑制される。
【００６２】
ブラケット側外周面部３１０は、ブラケット側主面部３０１の上方側端部に形成される上方側ブラケット外周平面部３１１と、下方側端部に形成される下方側ブラケット外周平面部３１２と、右側端部に形成される右側ブラケット外周平面部３１３と、左側端部に形成される左側ブラケット外周平面部３１４とを含む。ブラケット側配線収容部ＷＳは、４つのブラケット外周平面部３１１〜３１４とブラケット側主面部３０１とに囲まれた空間として形成されている。本体部１００が中間ブラケット部材３００に取り付けられるときの取り付け方向から見たときのブラケット側外周面部３１０の外形は、本体側ケース４００をその取り付け方向から見たときの外形とほぼ同じである。ここでの取り付け方向とは、本体部１００を中間ブラケット部材３００に取り付けたときのこれらの積層方向に沿った方向であり、本体部１００から中間ブラケット部材３００に向かう方向である。この構成によれば、本体部１００を中間ブラケット部材３００に取り付けるときの取り付け方向から見たときのセキュリティ用通信装置１０の全体の大きさを抑制することができる。右側ブラケット外周平面部３１３と左側ブラケット外周平面部３１４とには、ブラケット側移動規制部３８１，３８２がそれぞれ形成されている。ブラケット側移動規制部３８１，３８２は、本体部１００を中間ブラケット部材３００に取り付けたときに、本体側ケース４００と係合する。
【００６３】
ブラケット側配線収容部ＷＳは、４つのブラケット外周平面部３１１〜３１４とそれぞれ接している。そのため、４つのブラケット外周平面部３１１〜３１４のどこにでも配線を引き込むための切り欠き部ＣＰを形成することができる。よって、セキュリティ用通信装置１０の周囲において、壁面を這わせた配線Ｗの配線経路を目立つほど変化させずにセキュリティ用通信装置１０に引き込むことができる。また、本参考例の上方側ブラケット外周平面部３１１および下方側ブラケット外周平面部３１２には、切り欠き部ＣＰの形成を容易にするために、複数の目地状の溝３１５が形成されている。溝３１５は、４つのブラケット外周平面部３１１〜３１４のどこにでも形成することができる。
【００６４】
図２０は、中間ブラケット部材３００を取り付け金具２００に取り付ける手順を例示した説明図である。図２０（ａ）に示すように、まず、一対のブラケット側フック係合部３２０，３３０に一対の金具側フック部２２０，２３０を挿通させ、ブラケット側主面部３０１と金具側主面部２０１が接触する位置まで中間ブラケット部材３００を押し込む。このとき、図２０（ｂ）に示すように、金具側係合部２５０によって、板バネ部３６１が反って、ブラケット側係合部３６０の係止爪部３６２およびレバー部３６３を含む先端部が押し上げられる。この状態で、図２０（ｃ）に示すように、中間ブラケット部材３００を下方にスライドさせると、板バネ部３６１の反りが解消され、ブラケット側係合部３６０の先端部が元の位置に戻る。これによって、係止爪部３６２が金具側係合部２５０の下側に入り込み、金具側係合部２５０の下端部の端面２５１に係止され、ブラケット側係合部３６０と金具側係合部２５０とが係合する。このように、ブラケット側係合部３６０と金具側係合部２５０とが係合している状態では、係止爪部３６２が金具側係合部２５０の先端部における端面２５１に引っかかるため、中間ブラケット部材３００の上方向の移動が規制される。また、この状態においては、一対のブラケット側フック係合部３２０，３３０と一対の金具側フック部２２０，２３０との係合によって中間ブラケット部材３００の前後左右下方向の移動が規制され、中間ブラケット部材３００が取り付け金具２００に固定される。このように、本参考例によれば、ネジを使わず容易に中間ブラケット部材３００を取り付け金具２００に取り付けることができる。そのため、セキュリティ用通信装置１０を壁面等に取り付ける際に使用するネジの種類や数が中間ブラケット部材３００を使用する場合と使用しない場合とで変わらないようにすることができ、取り付け作業性の向上を図ることができる。また、使用されなかったネジが余って不要な資材が発生してしまうことが抑制される。
【００６５】
図２１は、中間ブラケット部材３００を取り付け金具２００から取り外す手順を例示した説明図である。図２１（ａ）に示すように、まず、レバー部３６３を第１の方向Ｄ１に押し上げることによって、係止爪部３６２と金具側係合部２５０の先端部との係合を解除する。その後、図２１（ｂ）に示すように、中間ブラケット部材３００を上方（第１の方向Ｄ１）にスライドさせる。これにより、一対のブラケット側フック係合部３２０，３３０と一対の金具側フック部２２０、２３０との係合が解除され、中間ブラケット部材３００を金具２００から取り外すことができる。このように、中間ブラケット部材３００は、ブラケット側係合部３６０の板バネ部３６１からレバー部３６３が突出しているため、指などによってレバー部３６３を第１の方向Ｄ１に押圧することによって、係止爪部３６２と金具側係合部２５０との係合を容易に解除することができる。また、本参考例では、レバー部３６３の解除方向と、中間ブラケット部材３００と取り付け金具２００との間の係合状態を解除するために、中間ブラケット部材３００をスライドさせる方向が同じ方向（第１の方向Ｄ１）である（図２１（ｂ））。そのため、レバー部３６３の解除と中間ブラケット部材３００の取り付け金具２００からの取り外しを一回の動作でおこなうことも可能である。
【００６６】
図２２は、本参考例の効果の一例を示した説明図である。図２２の破線部分には、ブラケット側配線収容部ＷＳに収容された配線Ｗが存在しているものとして説明する。上述のように、中間ブラケット部材３００では、レバー部３６３の第１の方向Ｄ１側にブラケット側配線収容部ＷＳが位置している。そのため、ブラケット側配線収容部ＷＳに収容された配線Ｗがレバー部３６３と面する場合には、配線Ｗは、レバー部３６３を第１の方向Ｄ１（解除方向）と反対の方向（第２の方向Ｄ２）に押圧することになる。つまり、この構成によれば、配線Ｗによって、レバー部３６３が第１の方向Ｄ１に押圧されることが抑制される。さらに、この構成によれば、配線Ｗがレバー部３６３を第２の方向Ｄ２に押圧して、係止爪部３６２が取り付け金具２００側へと押され、係止爪部３６２と金具側係合部２５０との間の係止状態がより緊密になる。従って、取り付け面２０に取り付けたセキュリティ用通信装置１０を取り付け面２０から外れにくくすることができる。
【００６７】
一般的に、セキュリティ用通信装置１０は目立たなくする必要があるため、中間ブラケット部材３００は小型化する必要がある。中間ブラケット部材３００の小型化により、ブラケット側配線収容部ＷＳも小さくなるため、余った配線Ｗはブラケット側配線収容部ＷＳに押し込められる。一方、中間ブラケット部材３００を小型化するためには、ブラケット側配線収容部ＷＳとレバー部３６３とを近接させる必要がある。これらのことから、本願発明の発明者らは、中間ブラケット部材３００に中間ブラケット部材３００と取り付け金具２００との係合を解除するためのレバー部を設けた場合、ブラケット側配線収容部ＷＳに収容された配線Ｗによってレバー部が押圧されやすく、例えば、セキュリティ用通信装置１０の取付け時において、配線Ｗによるレバー部の押圧によって、意図しない係合の解除が生じやすいことを見出した。そこで、本参考例では、レバー部３６３の第１の方向Ｄ１側にブラケット側配線収容部ＷＳが位置するようにレバー部３６３を配置し、レバー部３６３とブラケット側配線収容部ＷＳに収容された配線とが面するように構成されている。これにより、中間ブラケット部材３００の小型化を図りつつ、配線Ｗによって、レバー部３６３が第１の方向Ｄ１に押圧されることが抑制される。
【００６８】
以上説明した、本参考例のセキュリティ用通信装置１０によれば、建物への侵入者等にその存在を気がつかれないように、セキュリティ用通信装置１０をより目立たなくすることができる。具体的には、セキュリティ用通信装置に外部配線を引き込んだ際、装置の周囲において配線の長さが余らなかった場合、または、目立たない程度に長さが余る場合には、図１〜図３および図７〜図９に示すように、中間ブラケット部材３００を使用せずにセキュリティ用通信装置１０の本体部１００を直接的に取り付け面２０に固定できる。そのため、セキュリティ用通信装置１０の大きさを抑制することができる。一方、セキュリティ用通信装置に外部配線を引き込んだ際、装置の周囲において配線の長さが目立つ程度に余る場合には、図４〜図６および図１０〜図１２に示すように、中間ブラケット部材３００を使用することによって、中間ブラケット部材３００の内部のブラケット側配線収容部ＷＳにおいて配線方向を変化させて本体部１００に接続することができる。これにより、セキュリティ用通信装置１０周辺の配線Ｗによってセキュリティ用通信装置１０が目立ってしまうことが抑制される。また、この構成によれば、選択的に中間ブラケット部材３００を使用してセキュリティ用通信装置１０の本体部１００を取り付け面２０に固定することができるため、取り付け場所の状況に応じてより目立たない構成を選択することが可能になる。
【００６９】
また、本参考例のセキュリティ用通信装置１０によれば、本体側ケース４００を直接的に取り付け金具２００に取り付ける取り付け方法と、中間ブラケット部材３００を介して本体側ケース４００を取り付け金具２００に取り付ける取り付け方法と、を同様にすることができる。また、取り付けに使用するネジの数を同じにすることができる。具体的には、本体側ケース４００を直接的に取り付け金具２００に取り付けるときには、中間ブラケット部材３００を取り付け金具２００に取り付ける場合と異なり、金具側係合部２５０を用いずに、本体側挿通孔４５０に挿通されたネジを金具側雌ネジ部２１１に螺合させて固定する。一方、中間ブラケット部材３００を介して本体側ケース４００を取り付け金具２００に取り付ける場合には、本体側挿通孔４５０およびブラケット側挿通孔３５０に挿通されたネジを金具側雌ネジ部２１１に螺合させて固定する。このように、本体側ケース４００を直接的に取り付け金具２００に取り付ける方法を、中間ブラケット部材３００を取り付け金具２００に取り付ける方法と異ならせ、中間ブラケット部材３００を介して本体側ケース４００を取り付け金具２００に取り付ける取り付け方法と同様にすることによって、中間ブラケット部材３００を使用する場合と、使用しない場合とでネジの使用数を同じにすることができ、不要なネジの発生を抑制できる。また、本体側ケース４００を直接的に取り付け金具２００に取り付ける取り付け方法を、中間ブラケット部材３００を介して本体側ケース４００を取り付け金具２００に取り付ける取り付け方法と同様となるため、取り付けの作業性の向上を図ることができる。
【００７０】
Ｂ．実施形態：
図２３〜図２９を順に参照して、本発明の実施形態におけるセキュリティ用通信装置を説明する。図２３〜図２９では、上記の参考例と共通する構成部には同じ符号が付されている。また、上記の参考例における構成部と対応する構成部には、当該参考例における構成部に付されている符号の末尾にアルファベットを付した符号が付されている。
【００７１】
図２３（ａ）〜（ｅ）はそれぞれ、本実施形態における中間ブラケット部材３００Ａの概略正面図、概略上面図、概略底面図、概略右側面図、および、概略左側面図である。図２４は、本実施形態におけるブラケット側係合部３６０Ａの近傍を抜き出して示す概略斜視図であり、中間ブラケット部材３００Ａを正面側からみたときの図である。図２５は、図２３のＢ−Ｂ切断におけるブラケット側係合部３６０Ａの概略断面図である。図２５の２つの吹き出し内にはそれぞれ、ブラケット側係合部３６０Ａの板バネ部３６１の先端部３６１ｃの細部が拡大して示されている。
【００７２】
本実施形態のセキュリティ用通信装置は、中間ブラケット部材３００Ａの構成が異なっている点以外は、上記参考例のセキュリティ用通信装置１０とほぼ同じ構成を有している。また、本実施形態における中間ブラケット部材３００Ａは、ブラケット側係合部３６０Ａの構成が異なっている点以外は、上記参考例における中間ブラケット部材３００とほぼ同じ構成を有している。
【００７３】
本実施形態における中間ブラケット部材３００Ａ（図２３）は、上記参考例の中間ブラケット部材３００と同様に、背面側に配置される取り付け金具２００に、係合によって保持されるとともに、正面側において本体部１００を保持する。中間ブラケット部材３００Ａに対する取り付け金具２００および本体部１００の取り付けについては後述する。
【００７４】
本実施形態におけるブラケット側係合部３６０Ａは、板バネ部３６１と、係止爪部３６２Ａと、レバー部３６３Ａと、を備えている（図２４，図２５）。板バネ部３６１は、上記参考例において説明したように、上下方向に延伸し、厚み方向に弾性変形可能な板状の部位である。板バネ部３６１の上方の基端部３６１ｂは、ブラケット側主面部３０１に連結されている。板バネ部３６１の下方の先端部３６１ｃは、基端部側の支点を中心として、弾性的に回転移動する。
【００７５】
係止爪部３６２Ａは、板バネ部３６１の先端部３６１ｃにおいて、取り付け金具２００が取り付けられる背面側に向かって突出している（図２５）。係止爪部３６２Ａは、上記参考例で説明した係止爪部３６２と同様に、上方に向いている係止面３６２ｓにおいて、金具側係合部２５０の先端部における端面２５１と当接することによって、金具側係合部２５０に係止される（詳細は後述）。
【００７６】
係止爪部３６２Ａと板バネ部３６１とが交差している角部には曲面部３９０が形成されている（図２５の吹き出し内）。曲面部３９０は、係止爪部３６２Ａと板バネ部３６１との間の角部が丸められた面であり、係止爪部３６２Ａの先端から当該角部に向かう方向に凸の曲面を構成している。この曲面部３９０が形成されていることによって、係止爪部３６２Ａの基端部に応力集中が生じてしまうことが抑制されており、ブラケット側係合部３６０Ａの強度が高められている。
【００７７】
係止爪部３６２Ａの係止面３６２ｓは、係止爪部３６２Ａが突出している方向にむかって、すなわち、係止爪部３６２Ａの基端部から先端部に向かう方向に、わずかに下降傾斜している。これによって、係止爪部３６２Ａと金具側係合部２５０との間の係合状態を解除するために付与する外力を小さくすることができ、取り付け金具２００からの中間ブラケット部材３００Ａの取り外し性が高められている。また、係止面３６２ｓが下降傾斜していることによって、中間ブラケット部材３００Ａを射出成形する際に用いられる金型の取り外しが容易化されている。
【００７８】
レバー部３６３Ａ（図２４，図２５）は、板バネ部３６１の先端部３６１ｃにおいて、係止爪部３６２Ａとは反対の方向に向かって突出している。レバー部３６３Ａは、上記参考例において説明したのと同様に、金具側係合部２５０に対する係止爪部３６２Ａの係止状態を解除する際に第１の方向Ｄ１の外力が付与される操作部としての機能を有している。本実施形態では、レバー部３６３Ａは、中間ブラケット部材３００Ａに本体部１００が規定の通りに正常に取り付けられた状態において、その先端部が、本体側ケース４００の本体側主面部４０１における背面に近接する位置まで延びている。これによって、セキュリティ用通信装置に対して、予期せぬ第１の方向Ｄ１の外力が付与された場合であっても、中間ブラケット部材３００Ａが、取り付け金具２００から脱落してしまうことが抑制されている（詳細は後述）。レバー部３６３Ａは、本発明における突出部の下位概念に相当する。
【００７９】
本実施形態では、レバー部３６３Ａは、板バネ部３６１が延伸している方向において、係止爪部３６２Ａよりも板バネ部３６１の支点側にオフセットされた位置に設けられている。これによって、レバー部３６３Ａに第１の方向Ｄ１への外力が付与されたときに、板バネ部３６１の先端部３６１ｃが背面側から正面側に向かって回転移動しやすくなっている。従って、レバー部３６３Ａの操作を介したブラケット側係合部３６０Ａと金具側係合部２５０との間の係合状態の解除が容易化され、取り付け金具２００からの中間ブラケット部材３００Ａの取り外し性が高められている。
【００８０】
本実施形態では、レバー部３６３Ａには、一対の上方リブ部３９１ａ，３９１ｂと、一対の下方リブ部３９２ａ，３９２ｂと、が設けられている（図２４，図２５）。一対の上方リブ部３９１ａ，３９１ｂは、レバー部３６３Ａの上方側の面、つまり、板バネ部３６１の支点側の面において、上方に突出するように形成されている。レバー部３６３Ａにおいて、第１上方リブ部３９１ａは左側の端部に形成されており、第２上方リブ部３９１ｂは右側の端部に形成されている。一対の上方リブ部３９１ａ，３９１ｂは、本発明におけるリブ部および支点側リブ部の下位概念に相当する。
【００８１】
各上方リブ部３９１ａ，３９１ｂは、レバー部３６３Ａの先端部から基端部にわたって形成されており、基端部において板バネ部３６１に連結されている。上方リブ部３９１ａ，３９１ｂが形成されていることによって、レバー部３６３Ａは、基端部から先端部の間において折損してしまうことが抑制されている。また、レバー部３６３Ａと板バネ部３６１との連結部における強度が高められている。
【００８２】
本実施形態では、各上方リブ部３９１ａ，３９１ｂと板バネ部３６１とが交差している角部が丸められることによって、レバー部３６３Ａの先端から当該角部に向かう方向に凸の曲面を構成する曲面部３９１ｓが形成されている（図２５の吹き出し内）。これによって、レバー部３６３Ａに第２の方向Ｄ２の外力が付与されたときに、レバー部３６３Ａと板バネ部３６１との連結部に応力集中が生じてしまうことが抑制されている。
【００８３】
一対の下方リブ部３９２ａ，３９２ｂは、レバー部３６３Ａの下方側の面、つまり、板バネ部３６１の支点とは反対側の面において、下方に向かって突出している（図２５）。レバー部３６３Ａにおいて、第１下方リブ部３９２ａは左側の端部に形成されており、第２下方リブ部３９２ｂは右側の端部に形成されている。
【００８４】
各下方リブ部３９２ａ，３９２ｂはレバー部３６３Ａの基端部側にのみに形成されており、先端側には形成されていない。各下方リブ部３９２ａ，３９２ｂは板バネ部３６１に連結されている。これによって、レバー部３６３Ａと板バネ部３６１との連結部における強度が高められている。
【００８５】
また、レバー部３６３Ａでは、各下方リブ部３９２ａ，３９２ｂが先端側まで延びていないことによって、レバー部３６３Ａを押圧操作するユーザーの指が下方リブ部３９２ａ，３９２ｂに接触してしまうことが抑制されている。従って、ユーザーに不快感を生じさせることが抑制されており、レバー部３６３Ａの操作性が高められている。一対の下方リブ部３９２ａ，３９２ｂは、本発明におけるリブ部および反支点側リブ部の下位概念に相当する。
【００８６】
本実施形態では、レバー部３６３Ａの下側の面と、板バネ部３６１とが交差している角部に曲面部３９３が形成されている（図２５）。曲面部３９３は、レバー部３６３Ａの下側の面と板バネ部３６１との間の角部が丸められることによって形成されており、上方に向かって、つまり、板バネ部３６１またはレバー部３６３の基端部に向かって、凸の曲面を構成している。本実施形態では、曲面部３９３は、一対の下方リブ部３９２ａ，３９２ｂの間に形成されている。
【００８７】
レバー部３６３Ａの基端部に曲面部３９３が形成されていることによって、レバー部３６３Ａに外力が付与されたときに、レバー部３６３Ａと板バネ部３６１との連結部に応力集中が生じてしまうことが抑制される。従って、レバー部３６３Ａが板バネ部３６１から脱落してしまう破損が抑制されている。
【００８８】
図２６は、本実施形態のセキュリティ用通信装置を取り付け面２０に取り付ける際の中間ブラケット部材３００Ａに対する取り付け金具２００および本体部１００の取り付け方法を示す概略図である。図２６（ａ）〜（ｃ）には、中間ブラケット部材３００Ａに対する取り付け金具２００および本体部１００の取り付け工程が工程順に図示されている。図２６では、便宜上、本体部１００は、本体側ケース４００のみが図示されている。なお、図２６（ａ）〜（ｃ）に図示されている取り付け金具２００と、中間ブラケット部材３００Ａと、本体側ケース４００の断面は、図２３（ａ）におけるＢ−Ｂ切断に相当する切断位置におけるものである。
【００８９】
本実施形態のセキュリティ用通信装置が取り付け面２０に取り付けられる際には、まず、取り付け金具２００が取り付け面２０に固定される（図２６（ａ））。そして、中間ブラケット部材３００Ａが、参考例において図２０を参照して説明したのと同様な手順によって取り付けられる（図２６（ｂ））。このとき、取り付け金具２００の金具側係合部２５０の先端部にブラケット側係合部３６０Ａの係止爪部３６２Ａが係止された状態となる。中間ブラケット部材３００Ａが取り付け金具２００に取り付けられて保持された後に、本体部１００の本体側ケース４００が中間ブラケット部材３００Ａに取り付けられる（図２６（ｃ））。
【００９０】
図２７は、金具側係合部２５０の先端部２５０ｃを示す概略斜視図である。本実施形態では、取り付け金具２００は、矢印ＦＰによって示されている正面側から背面側に向かう方向のプレス抜き加工によって成形される。金具側係合部２５０における先端側の端面２５１は、せん断面となっており、矢印ＦＰのせん断方向に沿った方向に滑りやすい面となっている。また、金具側係合部２５０の正面２５２と先端側の端面２５１との間には、プレス抜き加工によるダレ２５３が生じている。このダレ２５３を有していることによっても、係止されているブラケット側係合部３６０Ａの係止爪部３６２Ａが、正面側へと滑りやすくなっている。
【００９１】
加えて、上述したように、本実施形態では、係止爪部３６２Ａの係止面３６２ｓ（図２７）は、下方に向かってわずかに傾斜しており、係止爪部３６２Ａは、金具側係合部に対して滑りやすい構成を有している。このように、本実施形態では、金具側係合部２５０と係止爪部３６２Ａとがともに滑りやすい構成を有しており、金具側係合部２５０とブラケット側係合部３６０Ａとの係合状態の形成および解除が容易化されている。
【００９２】
図２８は、ブラケット側係合部３６０Ａと金具側係合部２５０との係合状態を示す概略断面図である。上述したように、ブラケット側係合部３６０Ａと金具側係合部２５０とが規定の通りに正常に係合している係合状態では、係止爪部３６２Ａの係止面３６２ｓが金具側係合部２５０の先端部における端面２５１に当接して係止される。本実施形態のレバー部３６３Ａは、その係合状態において、先端部３６３ｃが、本体側ケース４００における本体側主面部４０１の背面に対して、所定の距離Ｄｓだけ離間した近接位置に位置するように構成されている。距離Ｄｓは、例えば、０．１〜１．０ｍｍ程度であるとしてもよい。これによって、中間ブラケット部材３００Ａに本体部１００を取り付けるときに、レバー部３６３Ａが、本体側ケース４００と金具側係合部２５０とに挟まれて押圧され、破損してしまうことが抑制される。
【００９３】
ここで、所定の距離Ｄｓは、板バネ部３６１から係止爪部３６２Ａが突出している高さＣＨよりも小さい値である。所定の距離Ｄｓは、本体部１００が中間ブラケット部材３００Ａを介して取り付け金具２００に正常に取り付けられている状態（以下、「正常取り付け状態」とも呼ぶ。）にあるときに、係止爪部３６２Ａの回転移動が許容される距離に相当する。所定の距離Ｄｓが係止爪部３６２Ａの高さＣＨより小さい値に設定されていれば、正常取り付け状態において、ブラケット側係合部３６０Ａと金具側係合部２５０との係合状態が解除されてしまうほどの係止爪部３６２Ａの回転移動が制限される。
【００９４】
セキュリティ用通信装置に対して、第１の方向Ｄ１の外力が加えられると、内部のブラケット側係合部３６０Ａには、矢印ＦＤで示されているように、第１の方向Ｄ１とは反対の方向に力が作用する。すると、レバー部３６３Ａおよび係止爪部３６２Ａを矢印ＲＤで示されている正面側の方向に回転移動させようとする力が生じることになる。本実施形態のセキュリティ用通信装置であれば、上述したように、正常取り付け状態においては、係止爪部３６２Ａの回転移動が制限されている。従って、そのような力が生じ、係止爪部３６２Ａの係止面３６２ｓが金具側係合部２５０に対して滑ったとしても、ブラケット側係合部３６０Ａと金具側係合部２５０との係合状態が解除されてしまうことが抑制される。
【００９５】
また、中間ブラケット部材３００Ａを取り付け金具２００から無理に取り外そうとするときには、中間ブラケット部材３００Ａのブラケット外周平面部３１１〜３１４が外側に広がり、中間ブラケット部材３００Ａの厚みが小さくなる方向に変形する場合がある。この場合には、本体側主面部４０１の背面とレバー部３６３Ａの先端部３６３ｃとの間の距離Ｄｓが、規定の距離よりも小さくなる。従って、係止爪部３６２Ａの回転移動できる許容範囲がさらに縮小され、係止爪部３６２Ａと金具側係合部２５０との係合状態が、より解除されにくくなる。
【００９６】
このように、本実施形態のセキュリティ用通信装置では、正常取り付け状態にあるときに、係止爪部３６２Ａが金具側係合部２５０から離れる方向に回転移動しようとしても、レバー部３６３Ａが本体側ケース４００に当接して、その回転移動が制限される。従って、係止爪部３６２Ａと金具側係合部２５０との間の係合状態の形成および解除が容易化されている一方で、正常取り付け状態にあるときに、ブラケット側係合部３６０Ａと金具側係合部２５０との係合状態が、予期せぬ外力や不正な取り外し操作によって解除されてしまうことが抑制される。
【００９７】
ここで、正常取り付け状態にあるときのレバー部３６３Ａの先端部３６３ｃと、本体側ケース４００の本体側主面部４０１との間の距離Ｄｓは、金具側係合部２５０の厚みＭＴよりも小さい値であってもよい。距離Ｄｓがそのような値であっても、正常取り付け状態にあるときに、ブラケット側係合部３６０Ａと金具側係合部２５０との係合状態が解除されてしまうほどレバー部３６３Ａが回転移動してしまうことが抑制される。
【００９８】
また、正常取り付け状態にあるときに、係止爪部３６２Ａは、金具側係合部２５０の先端部における背面２５４よりも、正面側から背面側へと向かい方向に突出していることが望ましい。そして、係止爪部３６２Ａが、その背面２５４よりも突出している長さＣＬは、上記の距離Ｄｓより大きい値であることが望ましい。これによって、レバー部３６３Ａが回転移動して、本体側ケース４００に当接したとしても、係止爪部３６２Ａを金具側係合部２５０の先端部に係止される位置に位置させることができる。従って、ブラケット側係合部３６０Ａと金具側係合部２５０との係合状態が解除されてしまうことが抑制される。
【００９９】
本実施形態では、正常取り付け状態にあるときに、レバー部３６３Ａは、本体側ケース４００の本体側主面部４０１において、段差部４０５と本体側外周面部４１０とによって囲まれ、強度が高められている局所的な面領域４０６に対向している。従って、レバー部３６３Ａが回転移動して接触した場合であっても、本体側ケース４００が破損してしまうことが抑制されている。
【０１００】
図２９は、中間ブラケット部材３００Ａに本体側ケース４００が取り付けられるときの状態の一例を示す概略図である。図２９には、取り付け金具２００に中間ブラケット部材３００が正常に取り付けられておらず、金具側係合部２５０によって、ブラケット側係合部３６０Ａが押し上げられた状態のまま、本体側ケース４００が取り付けられようとしている状態が例示されている。この状態のときには、レバー部３６３Ａが、正常な取り付け状態のときよりも本体側ケース４００に向かって突出してしまっている。そのため、レバー部３６３Ａによって、中間ブラケット部材３００Ａの取り付けが阻害される。このように、本実施形態の中間ブラケット部材３００Ａであれば、取り付け金具２００に対して中間ブラケット部材３００Ａおよび本体部１００が誤った状態で取り付けられてしまうことが抑制される。
【０１０１】
以上のように、本実施形態のセキュリティ用通信装置によれば、参考例において説明したのと同様に、中間ブラケット部材３００Ａを用いることによって、余分な配線Ｗが外部に露出したままになってしまうことが抑制される。また、中間ブラケット部材３００Ａを用いる場合と用いない場合とで、固定のために使用するネジを同じにすることができ、セキュリティ用通信装置の取り付け面２０に対する取り付け作業性が高められている。さらに、係止爪部３６２Ａと金具側係合部２５０との間の係合状態の形成および解除が容易化されている一方で、正常取り付け状態にあるセキュリティ用通信装置に予期せぬ外力が付与された場合であっても、レバー部３６３Ａによって係止爪部３６２Ａと金具側係合部２５０との係止状態が解除されてしまうことが抑制される。従って、本体部１００の取り付け金具２００からの脱落が抑制される。その他に、本実施形態のセキュリティ用通信装置によれば、上記参考例および本実施形態中において説明した種々の作用効果を奏することができる。
【０１０２】
Ｃ．変形例：
Ｃ１．変形例１：
上記実施形態では、レバー部３６３Ａは、板バネ部３６１が延伸している方向において、係止爪部３６２Ａよりも上方にオフセットされた位置に形成されている。これに対して、レバー部３６３Ａが形成される位置は、板バネ部３６１が延伸している方向において、係止爪部３６２Ａと概ね同じ位置に形成されていてもよいし、係止爪部３６２Ａよりも下方にオフセットされた位置に形成されていてもよい。
【０１０３】
Ｃ２．変形例２：
上記実施形態では、板バネ部３６１と係止爪部３６２Ａとの間には曲面部３９０が形成され、板バネ部３６１とレバー部３６３Ａとの間には曲面部３９１ｓ，３９２が形成されている。これに対して、ブラケット側係合部３６０Ａでは、それらの曲面部３９０，３９１ｓ，３９２が省略されていてもよい。
【０１０４】
Ｃ３．変形例３：
上記実施形態では、レバー部３６３Ａには、一対の上方リブ部３９１ａ，３９１ｂが設けられている。これに対して、レバー部３６３Ａには、一対の上方リブ部３９１ａ，３９１ｂが設けられていなくてもよいし、一対の上方リブ部３９１ａ，３９１ｂのうちのいずれか一方のみが設けられていてもよい。また、レバー部３６３Ａには、一対の上方リブ部３９１ａ，３９１ｂの代わりに、左右方向の中央において延びる一本の上方リブ部が形成されていてもよい。レバー部３６３Ａに形成される上方リブ部は、基端部から先端部の間において一部にのみ形成されていてもよい。
【０１０５】
Ｃ４．変形例４：
上記実施形態では、レバー部３６３Ａには、一対の下方リブ部３９２ａ，３９２ｂが設けられている。これに対して、レバー部３６３Ａには、一対の下方リブ部３９２ａ，３９２ｂは設けられていなくてもよいし、一対の下方リブ部３９２ａ，３９２ｂのうちのいずれか一方のみが形成されてもよい。また、レバー部３６３Ａには、一対の下方リブ部３９２ａ，３９２ｂの代わりに、左右方向の中央位置において一つの下方リブ部が形成されていてもよい。また、下方リブ部３９２ａ，３９２ｂは、レバー部３６３Ａの先端部まで延びていてもよい。
【０１０６】
Ｃ５．変形例５：
上記実施形態において、レバー部３６３Ａは、正常取り付け状態にあるときに、本体側ケース４００に接触しないように構成されている。これに対して、レバー部３６３Ａは、正常取り付け状態にあるときに、本体側ケース４００に接触するように構成されていてもよい。
【０１０７】
Ｃ６．変形例６：
上記実施形態において、レバー部３６３Ａは、ブラケット側係合部３６０Ａと金具側係合部２５０との係合状態を解除させるときの操作部としての機能を有している。これに対して、レバー部３６３Ａは、そうした操作部としての機能を有していなくても良く、そうした操作がなされることが想定されていない突出部として形成されていてもよい。
【０１０８】
Ｃ７．変形例７：
上記実施形態では、本体部１００は、中間ブラケット部材３００Ａを介在させなくても、取り付け金具２００に取り付けられるよう構成されている。これに対して、本体部１００は、中間ブラケット部材３００Ａを介在させなければ、取り付け金具２００に取り付けられないように構成されていてもよい。
【０１０９】
Ｃ８．変形例８：
上記参考例において、レバー部３６３と下方側ブラケット外周平面部３１２との間の距離Ｗ１は、配線Ｗの幅以上であってもよい。この場合であっても、レバー部３６３は、レバー部３６３の第１の方向Ｄ１側にブラケット側配線収容部ＷＳが位置するように配置され、ブラケット側配線収容部ＷＳと対向しているため、レバー部３６３が第１の方向Ｄ１に押圧されることを抑制できる。
【０１１０】
Ｃ９．変形例９：
上記参考例および本実施形態の中間ブラケット部材３００，３００Ａは、ネジを使用せずに取り付け金具２００に取り付けることができるものとして説明したが、中間ブラケット部材３００は、ネジを使用して取り付け金具２００に取り付けられてもよい。また、本体側ケース４００は、金具側係合部２５０と係合するように構成されていてもよい。
【０１１１】
Ｃ１０．変形例１０：
上記参考例および本実施形態において、金具側係合部２５０とブラケット側係合部３６０との間の係合位置、および、取り付け金具２００の一対の金具側フック部２２０、２３０と一対のブラケット側フック係合部３２０、３３０との間の２つの係合位置が、金具側主面部２０１およびブラケット側主面部３０１のそれぞれにおいて、互いに異なる端辺部に形成されていなくてもよい。
【０１１２】
Ｃ１１．変形例１１：
上記参考例および本実施形態において、本体側ケース４００を直接的に取り付け金具２００に取り付ける取り付け方法と、中間ブラケット部材３００を介して本体側ケース４００を取り付け金具２００に取り付ける取り付け方法とは異なっていてもよい。また、取り付けに使用するネジの数が異なっていてもよい。
【符号の説明】
【０１１３】
１０…セキュリティ用通信装置
２０…取り付け面
２１…開口部
１００…本体部
１１０…外側ケース
１１１…外側ケース主面部
１１２…外側ケース外周面部
１２０…内部装置
１２１…アンテナ
１２２…基板部
１２３…電源部
２００…取り付け金具
２０１…金具側主面部
２０２…孔部
２１０…金具側固定部
２１１…金具側雌ネジ部
２２０…第１の金具側フック部
２３０…第２の金具側フック部
２４０…金具側開口部
２５０…金具側係合部
２５１…端面
２５２…正面
２５３…ダレ
２５４…背面
３００，３００Ａ…中間ブラケット部材
３０１…ブラケット側主面部
３１０…ブラケット側外周面部
３１１…上方側ブラケット外周平面部
３１２…下方側ブラケット外周平面部
３１３…右側ブラケット外周平面部
３１４…左側ブラケット外周平面部
３１５…溝
３２０…第１のブラケット側フック係合部
３３０…第２のブラケット側フック係合部
３４０…ブラケット側配線用開口部
３５０…ブラケット側挿通孔
３６０，３６０Ａ…ブラケット側係合部
３６１…板バネ部
３６１ｂ…基端部
３６１ｃ…先端部
３６２，３６２Ａ…係止爪部
３６２ｓ…係止面
３６３，３６３Ａ…レバー部
３６３ｃ…先端部
３７０…ブラケット側フック部
３８１…ブラケット側移動規制部
３９０…曲面部
３９１ａ，３９１ｂ…上方リブ部
３９１ｓ…曲面部
３９２ａ，３９２ｂ…下方リブ部
３９３…曲面部
４００…本体側ケース
４０１…本体側主面部
４０２…区画部
４０５…段差部
４０６…面領域
４１０…本体側外周面部
４１１…上方側本体外周平面部
４１２…下方側本体外周平面部
４１３…右側本体外周平面部
４１４…左側本体外周平面部
４１５…溝
４１６…アンテナ取り出し部
４２０…第１の本体側フック係合部
４３０…第２の本体側フック係合部
４４０…本体側配線用開口部
４５０…本体側挿通孔
４６０…本体側フック用開口部
４８１、４８２…本体側ケース係合部
ＣＰ…切り欠き部
Ｗ…配線
ＭＳ…内部装置収容部
ＳＳ…本体側配線収容部
ＷＳ…ブラケット側配線収容部
【図１】
0006413984.tif 000002
【図２】
0006413984.tif 000003
【図３】
0006413984.tif 000004
【図４】
0006413984.tif 000005
【図５】
0006413984.tif 000006
【図６】
0006413984.tif 000007
【図７】
0006413984.tif 000008
【図８】
0006413984.tif 000009
【図９】
0006413984.tif 000010
【図１０】
0006413984.tif 000011
【図１１】
0006413984.tif 000012
【図１２】
0006413984.tif 000013
【図１３】
0006413984.tif 000014
【図１４】
0006413984.tif 000015
【図１５】
0006413984.tif 000016
【図１６】
0006413984.tif 000017
【図１７】
0006413984.tif 000018
【図１８】
0006413984.tif 000019
【図１９】
0006413984.tif 000020
【図２０】
0006413984.tif 000021
【図２１】
0006413984.tif 000022
【図２２】
0006413984.tif 000023
【図２３】
0006413984.tif 000024
【図２４】
0006413984.tif 000025
【図２５】
0006413984.tif 000026
【図２６】
0006413984.tif 000027
【図２７】
0006413984.tif 000028
【図２８】
0006413984.tif 000029
【図２９】
0006413984.tif 000030